【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
ポータブル・マルチファンクション装置のタッチスクリーンディスプレイにおいて、
前記タッチスクリーンディスプレイに、複数のユーザ入力エレメントを含むコンテンツを表示する工程と、
前記タッチスクリーンディスプレイに対する、指による接触を検知する工程と、
前記接触と前記ユーザ入力エレメントとの接近度に基づいて、前記複数のユーザ入力エレメントにおいてユーザ入力エレメントを選択する工程と、
前記選択されたユーザ入力エレメントの選択を検出する工程と、
前記選択されたユーザ入力エレメントの選択の検出に応じて、前記選択されたユーザ入力エレメントのための入力を選択するための入力インタフェースを表示する工程であって、前記入力インタフェースが前記選択されたユーザ入力エレメントのための複数の選択可能なアイテムを含む工程と、
前記入力インタフェースを表示している間に、複数の選択可能なアイテムのうちの選択可能な各アイテムがアクチベートされたことを検出する工程と、
前記選択されたユーザ入力エレメントに対する入力として、前記選択可能な各アイテムを使用する工程と
を実行することを特徴とする方法。
【請求項２】
前記ユーザ入力エレメントは、テキスト入力フィールド、プルダウンリスト、及び、フォームフィールドからなるセットから選択されたユーザ入力エレメントを含むことを特徴とする請求項１に記載の方法。
【請求項３】
前記選択されたユーザ入力エレメントの選択の検出に応じて、前記選択されたユーザ入力エレメントを含む領域を前記タッチスクリーンディスプレイ上で拡大する工程を含むことを特徴とする請求項１に記載の方法。
【請求項４】
前記入力インタフェースは、前記選択されたユーザ入力エレメントのための所定の入力選択肢のリストを含み、
前記選択可能な各アイテムは、前記所定の入力選択肢のリストにおけるそれぞれの所定の入力選択肢であって、
前記入力は、前記選択されたユーザ入力エレメントのためのそれぞれの所定の入力選択肢を含む、
ことを特徴とする請求項１に記載の方法。
【請求項５】
前記入力インタフェースは、ソフトキーボードを含み、
前記選択可能な各アイテムは、前記ソフトキーボードにおける複数のキーのうちの各キーであって、
前記入力は、前記各キーに対応する文字を含む
ことを特徴とする請求項１に記載の方法。
【請求項６】
前記選択されたユーザ入力エレメントが、第１のタイプのユーザ入力エレメントであると判定されたことに従って、第１のタイプの入力インタフェースが表示される前記入力入力インタフェースとなり、
前記選択されたユーザ入力エレメントが、前記第１のタイプのユーザ入力エレメントとは異なる第２のタイプのユーザ入力エレメントと判定されたことに従い、前記第１のタイプの入力インタフェースとは異なる第２のタイプの入力インタフェースが表示される前記入力インタフェースとなる
ことを特徴とする請求項１に記載の方法。
【請求項７】
前記入力インタフェースに、アクチベート可能なアイコンであって、アクチベートにより前記入力インタフェースが表示を停止することとなるアイコンを表示する工程と、
前記入力インタフェースが表示されている間に、前記アクチベート可能なアイコンがアクチベートされたことを検出する工程と、
前記アクチベート可能なアイコンがアクチベートされたことを検出したのに応じて、前記入力インタフェースの表示を停止する工程と
を含むことを特徴とする請求項１に記載の方法。
【請求項８】
前記入力インタフェースに、アクチベート可能なアイコンであって、アクチベートにより前記選択されたユーザ入力エレメントのための選択された入力が遠隔サーバへ送信されることとなるアイコンを表示する工程と、
前記入力インタフェースが表示されている間に、前記アクチベート可能なアイコンがアクチベートされたことを検出する工程と、
前記アクチベート可能なアイコンがアクチベートされたことを検出したのに応じて、前記選択されたユーザ入力エレメントのための前記選択された入力を前記遠隔サーバへ送信する工程と
を含むことを特徴とする請求項１に記載の方法。
【請求項９】
ポータブル・マルチファンクション装置であって、
タッチスクリーンディスプレイと、
１つ以上のプロセッサと、
メモリと、
前記メモリに格納され、前記１つ以上のプロセッサにより実行されるように構成された１つ以上のプログラムと
を備え、
前記１つ以上のプログラムの前記１つ以上のプロセッサによる実行に応じて、
前記タッチスクリーンディスプレイに、複数のユーザ入力エレメントを含むコンテンツを表示し、
前記タッチスクリーンディスプレイに対する、指による接触を検知し、
前記接触と前記ユーザ入力エレメントとの接近度に基づいて、前記複数のユーザ入力エレメントにおいてユーザ入力エレメントを選択し、
前記選択されたユーザ入力エレメントの選択を検出し、
前記選択されたユーザ入力エレメントの選択の検出に応じて、前記選択されたユーザ入力エレメントのための入力を選択するための入力インタフェースであって、前記選択されたユーザ入力エレメントのための複数の選択可能なアイテムを含む前記入力インタフェースを表示し、
前記入力インタフェースを表示している間に、複数の選択可能なアイテムのうちの選択可能な各アイテムがアクチベートされたことを検出し、
前記選択されたユーザ入力エレメントに対する入力として、前記選択可能な各アイテムを使用する
ことを特徴とする、ポータブル・マルチファンクション装置。
【請求項１０】
前記ユーザ入力エレメントは、テキスト入力フィールド、プルダウンリスト、及び、フォームフィールドからなるセットから選択されたユーザ入力エレメントを含むことを特徴とする請求項９に記載のポータブル・マルチファンクション装置。
【請求項１１】
前記選択されたユーザ入力エレメントの選択の検出に応じて、前記選択されたユーザ入力エレメントを含む領域を前記タッチスクリーンディスプレイ上で拡大することを特徴とする請求項９に記載のポータブル・マルチファンクション装置。
【請求項１２】
前記入力インタフェースは、前記選択されたユーザ入力エレメントのための所定の入力選択肢のリストを含み、
前記選択可能な各アイテムは、前記所定の入力選択肢のリストにおけるそれぞれの所定の入力選択肢であって、
前記入力は、前記選択されたユーザ入力エレメントのためのそれぞれの所定の入力選択肢を含む、
ことを特徴とする請求項９に記載のポータブル・マルチファンクション装置。
【請求項１３】
前記入力インタフェースは、ソフトキーボードを含み、
前記選択可能な各アイテムは、前記ソフトキーボードにおける複数のキーのうちの各キーであって、
前記入力は、前記各キーに対応する文字を含む
ことを特徴とする請求項９に記載のポータブル・マルチファンクション装置。
【請求項１４】
前記選択されたユーザ入力エレメントが、第１のタイプのユーザ入力エレメントであると判定されたことに従って、第１のタイプの入力インタフェースが表示される前記入力インタフェースとなり、
前記選択されたユーザ入力エレメントが、前記第１のタイプのユーザ入力エレメントとは異なる第２のタイプのユーザ入力エレメントと判定されたことに従い、前記第１のタイプの入力インタフェースとは異なる第２のタイプの入力インタフェースが表示される前記入力インタフェースとなる
ことを特徴とする請求項９に記載のポータブル・マルチファンクション装置。
【請求項１５】
前記入力インタフェースに、アクチベート可能なアイコンであって、アクチベートにより前記入力インタフェースが表示を停止することとなるアイコンを表示し、
前記入力インタフェースが表示されている間に、前記アクチベート可能なアイコンがアクチベートされたことを検出し、
前記アクチベート可能なアイコンがアクチベートされたことを検出したのに応じて、前記入力インタフェースの表示を停止する
ことを特徴とする請求項９に記載のポータブル・マルチファンクション装置。
【請求項１６】
前記入力インタフェースに、アクチベート可能なアイコンであって、アクチベートにより前記選択されたユーザ入力エレメントのための選択された入力が遠隔サーバへ送信されることとなるアイコンを表示し、
前記入力インタフェースが表示されている間に、前記アクチベート可能なアイコンがアクチベートされたことを検出し、
前記アクチベート可能なアイコンがアクチベートされたことを検出したのに応じて、前記選択されたユーザ入力エレメントのための前記選択された入力を前記遠隔サーバへ送信する
ことを特徴とする請求項９に記載のポータブル・マルチファンクション装置。
【請求項１７】
１つ以上のプログラムを格納したコンピュータ可読記憶媒体であって、前記１つ以上のプログラムは、タッチスクリーンディスプレイを有するポータブル・マルチファンクション装置において実行されると、該ポータブル・マルチファンクション装置に、
前記タッチスクリーンディスプレイに、複数のユーザ入力エレメントを含むコンテンツを表示する工程と、
前記タッチスクリーンディスプレイに対する、指による接触を検知する工程と、
前記接触と前記ユーザ入力エレメントとの接近度に基づいて、前記複数のユーザ入力エレメントにおいてユーザ入力エレメントを選択する工程と、
前記選択されたユーザ入力エレメントの選択を検出する工程と、
前記選択されたユーザ入力エレメントの選択の検出に応じて、前記選択されたユーザ入力エレメントのための入力を選択するための入力インタフェースを表示する工程であって、前記入力インタフェースが前記選択されたユーザ入力エレメントのための複数の選択可能なアイテムを含む工程と、
前記入力インタフェースを表示している間に、複数の選択可能なアイテムのうちの選択可能な各アイテムがアクチベートされたことを検出する工程と、
前記選択されたユーザ入力エレメントに対する入力として、前記選択可能な各アイテムを使用する工程と
を実行させることを特徴とする、コンピュータ可読記憶媒体。
【請求項１８】
前記ユーザ入力エレメントは、テキスト入力フィールド、プルダウンリスト、及び、フォームフィールドからなるセットから選択されたユーザ入力エレメントを含むことを特徴とする請求項１７に記載のコンピュータ可読記憶媒体。
【請求項１９】
前記ポータブル・マルチファンクション装置に、前記選択されたユーザ入力エレメントの選択の検出に応じて、前記選択されたユーザ入力エレメントを含む領域を前記タッチスクリーンディスプレイ上で拡大する工程を更に実行させることを特徴とする請求項１７に記載のコンピュータ可読記憶媒体。
【請求項２０】
前記入力インタフェースは、前記選択されたユーザ入力エレメントのための所定の入力選択肢のリストを含み、
前記選択可能な各アイテムは、前記所定の入力選択肢のリストにおけるそれぞれの所定の入力選択肢であって、
前記入力は、前記選択されたユーザ入力エレメントのためのそれぞれの所定の入力選択肢を含む、
ことを特徴とする請求項１７に記載のコンピュータ可読記憶媒体。
【請求項２１】
前記入力インタフェースは、ソフトキーボードを含み、
前記選択可能な各アイテムは、前記ソフトキーボードにおける複数のキーのうちの各キーであって、
前記入力は、前記各キーに対応する文字を含む
ことを特徴とする請求項１７に記載のコンピュータ可読記憶媒体。
【請求項２２】
前記選択されたユーザ入力エレメントが、第１のタイプのユーザ入力エレメントであると判定されたことに従って、第１のタイプの入力インタフェースが表示される前記入力インタフェースとなり、
前記選択されたユーザ入力エレメントが、前記第１のタイプのユーザ入力エレメントとは異なる第２のタイプのユーザ入力エレメントと判定されたことに従い、前記第１のタイプの入力インタフェースとは異なる第２のタイプの入力インタフェースが表示される前記入力インタフェースとなる
ことを特徴とする請求項１７に記載のコンピュータ可読記憶媒体。
【請求項２３】
前記入力インタフェースに、アクチベート可能なアイコンであって、アクチベートにより前記入力インタフェースが表示を停止することとなるアイコンを表示する工程と、
前記入力インタフェースが表示されている間に、前記アクチベート可能なアイコンがアクチベートされたことを検出する工程と、
前記アクチベート可能なアイコンがアクチベートされたことを検出したのに応じて、前記入力インタフェースの表示を停止する工程と
を前記ポータブル・マルチファンクション装置に更に実行させることを特徴とする請求項１７に記載のコンピュータ可読記憶媒体。
【請求項２４】
前記入力インタフェースに、アクチベート可能なアイコンであって、アクチベートにより前記選択されたユーザ入力エレメントのための選択された入力が遠隔サーバへ送信されることとなるアイコンを表示する工程と、
前記入力インタフェースが表示されている間に、前記アクチベート可能なアイコンがアクチベートされたことを検出する工程と、
前記アクチベート可能なアイコンがアクチベートされたことを検出したのに応じて、前記選択されたユーザ入力エレメントのための前記選択された入力を前記遠隔サーバへ送信する工程と
を前記ポータブル・マルチファンクション装置に更に実行させることを特徴とする請求項１７に記載のコンピュータ可読記憶媒体。